(57)【要約】【課題】ショルダーベルトに腕を通してケース本体を背負った際、肩から滑り難い釣り竿ケースを提供する。【解決手段】本発明の釣り竿ケース１は、ケース本体２と、このケース本体２の一側部の中央領域に装着されたショルダーベルト３とを有している。そして、ショルダーベルト３は、上方側に肩当て部３ｄを有すると共に、肩当て部３ｄの下方に握持部８を設けたことを特徴とする。【選択図】図１
2007252231.tif 000002
【特許請求の範囲】
【請求項１】
ケース本体と、このケース本体の一側部の中央領域に装着されたショルダーベルトとを有する釣り竿ケースにおいて、
前記ショルダーベルトは、上方側に肩当て部を有すると共に、前記肩当て部の下方に握持部を設けたことを特徴とする釣り竿ケース。
【請求項２】
前記握持部は、前記肩当て部と一体形成されていることを特徴とする請求項１に記載の釣り竿ケース。
【請求項３】
前記握持部は、前記ショルダーベルトより大きな厚みを有していることを特徴とする請求項１又は２に記載の釣り竿ケース。
【請求項４】
前記握持部は、前記ショルダーベルトの外周を囲んで設けられていることを特徴とする請求項１乃至３のいずれか１項に記載の釣り竿ケース。
【発明の詳細な説明】
【技術分野】
【０００１】
本発明は、釣り竿を収容して肩から掛けることが可能な釣り竿ケースに関する。
【背景技術】
【０００２】
一般的に上記した釣り竿ケースは、例えば、特許文献１に開示されているように、複数本の釣り竿やリール等が収容可能なケース本体と、ケース本体に設けられたショルダーベルトとを備えており、釣行するに際して、ショルダーベルトを肩に掛けることで持ち運び可能となっている。
【０００３】
前記ショルダーベルトは、ケース本体の側面の略中間領域に取り付けられており、一方の取り付け側には、肩が痛くならないように、クッション性のある部材（肩当て部）が止着されている。すなわち、ショルダーベルトに腕を通し、肩当て部を肩に当て付けることで釣り竿ケースを持ち運ぶことが可能となっている。
【特許文献１】特開２００１−２０４３４０号
【発明の開示】
【発明が解決しようとする課題】
【０００４】
上記した釣り竿ケースは、ショルダーベルトを肩に掛けた際、ケース本体が上下方向に向いて背負った状態となる。前記ケース本体には、釣り竿以外にも、リール等の重量物を収納することがあり、これによって、ケース本体を背負った状態で後方側に倒れ易くなって、肩から滑り易いという問題がある。
【０００５】
本発明は、上記した問題に基づいてなされたものであり、ショルダーベルトに腕を通してケース本体を背負った際、肩から滑り難い釣り竿ケースを提供することを目的とする。
【課題を解決するための手段】
【０００６】
上記した目的を達成するために、本発明に係る釣り竿ケースは、ケース本体と、このケース本体の一側部の中央領域に装着されたショルダーベルトとを有しており、前記ショルダーベルトは、上方側に肩当て部を有すると共に、前記肩当て部の下方に握持部を設けたことを特徴とする。
【０００７】
上記した構成の釣り竿ケースでは、ケース本体内に複数本の釣り竿や各種の釣具（仕掛け、リール等）が収納される。ケース本体の一側部の中央領域には、ショルダーベルトが装着されており、釣人がショルダーベルトに腕を通し、肩当て部を肩に当て付けると、ケース本体は上下方向に向いた状態で背負われた状態となる。この状態で釣り竿ケースを持ち運ぶと、ケース本体に収容された重量物（各種釣具）によって、ケース本体が後方に傾いて肩から滑り易くなるが、肩当て部の下方に設けられた握持部を握持することで、そのような滑りが防止されるようになる。
【発明の効果】
【０００８】
本発明の釣り竿ケースによれば、ショルダーベルトに腕を通してケース本体を背負った際、ショルダーベルトの肩当て部下方に設けられた握持部を握持することで、肩から滑り難くなる。
【発明を実施するための最良の形態】
【０００９】
以下、本発明の実施形態を添付図面に沿って具体的に説明する。
図１及び図２は、本発明の第１の実施形態を示し、図１は全体構成を示す斜視図、図２はショルダーベルトの装着部を示した断面図である。
【００１０】
本発明の釣り竿ケース１は、上下方向に長尺に形成され、内部に釣り竿を収納するケース本体２と、このケース本体２の一側部の外側に、長手方向に延設されたショルダーベルト３とを有している。
【００１１】
前記ケース本体２は、その内部に釣り竿収納部４を有しており、釣り竿は、ケース本体２の側面の上下方向に亘って配設されるチャック５によって開閉可能な釣り竿収納口を介して出し入れできるようになっている。前記ショルダーベルト３は、ケース本体２の一側部の上端と下端を除く領域である略中央領域に装着されている。具体的には、ショルダーベルト３の上端３ａは、ケース本体２の上端からケース本体２の長さの１／３程度の位置に取り付けられ、下端３ｂがケース本体２の底部（下端）から幾分離れた位置に取り付けられている。なお、ショルダーベルト３のケース本体２に対する取り付けは、例えば、ビス止め、縫着、接着等によって成される。
【００１２】
ケース本体２は、ショルダーベルト３が設けられた部分が多くの収納物が配置され重量がかかり、この部分に対応して釣り竿収納部４が大きく形成されており、ケース本体２の少なくとも一側が突出して形成されている。そして、この突出した部分には、釣り竿以外の各種の釣具が収納できるポケット６が設けられている。
【００１３】
前記ショルダーベルト３は、厚みが小さく幅狭の帯状部３ｃと、この帯状部３ｃの長手方向上方側に設けられ、ショルダーベルト全長の１／３〜１／２の長さの肩当て部３ｄとを有している。この肩当て部３ｄは、帯状部３ｃよりも幅広で、帯状部よりも大きな厚みを有している。
【００１４】
この場合、肩当て部３ｄは、ケース本体２を担いで肩に当て付けた際、その負荷を緩和できるような構成になっていることが好ましく、例えば、内部にクッション性のある部材３ｅ（発泡材やスポンジ等）を収納した帯状体３ｆを、前記帯状部３ｃの上方側に面ファスナで止着したり、或いは、このような帯状体３ｆを帯状部３ｃと共に一体形成したものであっても良い。
【００１５】
そして、ショルダーベルト３の上端３ａは、ケース本体２の上方に向けて取り付けられた後、下方側に向けて折り返されており、肩当て部３ｄが肩の形状に合致するようになっている。
【００１６】
前記ショルダーベルト３の帯状部３ｃには、前記肩当て部３ｄの下方に握持部８が設けられている。具体的に握持部８の設置位置は、図１に示すように、ショルダーベルト３に肩を通して釣り竿ケース１をショルダーベルト３で背負った際、胸から脇腹付近にてショルダーベルトを通した側の手で横掴みして握持できる位置に対応している。このため、握持部８は、このような握持形態において、充分な握持ができるように、ショルダーベルト３の長手方向に沿って長く（５〜３０ｃｍ程度が好ましい）形成されている。
【００１７】
本実施形態における握持部８は、滑り難い材質、例えば、ゴムや合成樹脂、或いはこれらの発泡材によって、ショルダーベルトの帯状部３ｃの厚みよりも大きな厚みとなるように形成され、ショルダーベルトの長手方向に手が滑らずに握持できるようになっている。また、握持部８は、略円柱状に形成されて握持した手のひらが沿うようにして確実に握持できるようになっており、その両端部には、握持した手の移動を防止するように突部（膨出部）８ａが形成されている。そして、握持部８の中央部分には、長手方向に延在する挿通孔８ｂが形成されており、この中を帯状部３ｃが挿通されることで、握持部８はショルダーベルト３の帯状部３ｃの外周を囲むように装着されている。この場合、握持部８は、例えば、帯状部３ｃにストッパ３ｓを設けたり、接着されることで、上下方向の移動が規制された状態となっている。
【００１８】
なお、握持部８は、上記したように、ゴムや合成樹脂、或いはこれらの発泡材によって略円柱状に形成されているが、これらをシート状に形成したり、或いは、織布等によって構成し、帯状部３ｃを囲繞するようにしても良い。すなわち、このようなシート状の部材を帯状部３ｃに止着し、これを巻き付けて面ファスナで固定したり、単に帯状部３ｃに巻き付けて、着脱自在な握持部としても良い。
【００１９】
上記した構成の釣り竿ケース１によれば、釣人がショルダーベルト３に腕を通し、肩当て部３ｄを肩に当て付けると、ケース本体２は上下方向に向いた状態で背負われた状態となる。この状態で釣り竿ケース１を持ち運ぶと、ケース本体２のポケット６等に収容された重量物（各種釣具）によって、ケース本体２が後方に傾いて肩から滑り易くなるが、上記したように、胸から脇腹付近にてショルダーベルト３を通した側の手で横掴みできる握持部８を握持することで、そのような滑りが防止され、持ち運びし易くなる。また、握持部８を握持した際、ショルダーベルト３を下側に引き易くなり、肩当て部３ｄを肩に密着させ易くすることができると共に、ショルダーベルト３の中央部分を握持させるため、自然に肩を張った状態となり、ショルダーベルト３が滑り落ち難くなる。
【００２０】
また、上記した構成では、握持部８は、ショルダーベルト３よりも大きな厚みを有していることから、その握持、保持性が高まると共に、さらに、握持部８がショルダーベルトの帯状部の外周を囲んでいるため、より握持、保持性が高まるようになる。
【００２１】
図３及び図４は、本発明の第２の実施形態を示し、図３は、全体構成を示す斜視図、図４はショルダーベルトに設けた握持部の断面図である。
【００２２】
本実施形態では、ショルダーベルト３の帯状部３ｃに、握持部８Ａが一体形成された肩当て部３ｄ´が止着されるようになっている。すなわち、帯状部３ｃよりも幅広で長手方向に延在するように形成された肩当て部３ｄ´の下端側に、幅方向に突出する突片３ｇを形成し、この部分をショルダーベルト３の帯状部３ｃに巻き付けることで握持部８Ａとすることができる。この場合、突片３ｇは、例えば、面ファスナ３ｈ等で着脱自在となっており、矢印で示すように巻き付けて、その状態を維持できるようになっている。或いは、突片３ｇは、帯状部３ｃに巻き付けた状態を縫着等で維持するようにしても良い。
【００２３】
このような構成によれば、上記した実施形態と同様な効果が得られると共に、握持部を肩当て部と一体形成することができるため、製造コストを安くすることが可能となる。
【図面の簡単な説明】
【００２４】
【図１】本発明の第１の実施形態を示し、全体構成を示す斜視図。
【図２】ショルダーベルトの装着部を示した断面図。
【図３】本発明の第２の実施形態を示し、全体構成を示す斜視図。
【図４】ショルダーベルトに設けた握持部の断面図。
【符号の説明】
【００２５】
１  釣り竿ケース
２  ケース本体
３  ショルダーベルト
３ｃ  帯状部
３ｄ，３ｄ´  肩当て部
８，８Ａ  握持部
【図１】
2007252231.tif 000003
【図２】
2007252231.tif 000004
【図３】
2007252231.tif 000005
【図４】
2007252231.tif 000006